(57)【要約】【課題】移動局ＵＥが、ＣｏｎｎｅｃｔｅｄモードからＩｄｌｅモードに遷移した場合に、測定処理に用いるべきサブフレームを適切に知る。【解決手段】本発明に係る移動局ＵＥは、ＣｏｎｎｅｃｔｅｄモードからＩｄｌｅモードに遷移する際に無線基地局ｅＮＢから受信した「ＲＲＣ  Ｃｏｎｎｅｃｔｉｏｎ  Ｒｅｌｅａｓｅ」によって通知された測定処理用サブフレームにおいて、所定セルにおける測定処理を行うように構成されている測定部１４を具備する。【選択図】図２
2013090162.tif 000002
【特許請求の範囲】
【請求項１】
接続状態から待ち受け状態に遷移する際に無線基地局から受信したコネクション解放信号によって通知された測定処理用サブフレームにおいて、所定セルにおける測定処理を行うように構成されている測定部を具備することを特徴とする移動局。
【請求項２】
接続状態から待ち受け状態に遷移した場合、該接続状態において設定されていた測定処理用サブフレームにおいて、所定セルにおける測定処理を行うように構成されている測定部を具備することを特徴とする移動局。
【請求項３】
前記移動局が、ピコセルにおける待ち受け状態に遷移した場合、前記測定部は、前記測定処理用サブフレームにおいて、該ピコセルにおける測定処理を行い、周辺ピコセルの物理ＩＤについて通知された場合には、該測定処理用サブフレームにおいて、該周辺ピコセルにおける測定処理を行うように構成されていることを特徴とする請求項１又は２に記載の移動局。
【請求項４】
前記移動局が、マクロセルにおける待ち受け状態に遷移した場合で、且つ、周辺にＣＳＧセルが存在しないと判定した場合、前記測定処理用サブフレームにおいて、該マクロセルの周辺ピコセルにおける測定処理を行うように構成されていることを特徴とする請求項１又は２に記載の移動局。
【請求項５】
前記移動局が、マクロセルにおける待ち受け状態に遷移した場合で、且つ、周辺にＣＳＧセルが存在すると判定した場合、前記測定処理用サブフレームにおいて、該マクロセル、該マクロセルの周辺マクロセル及び該マクロセルの周辺ピコセルにおける測定処理を行うように構成されていることを特徴とする請求項１又は２に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）のＲｅｌ-１０方式における「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」では、個別ＲＲＣ（Ｒａｄｉｏ  Ｒｅｓｏｕｒｃｅ  Ｃｏｎｔｒｏｌ）シグナリングによって、Ｃｏｎｎｅｃｔｅｄモード（接続状態）の移動局ＵＥに対して「Ｍｅａｓｕｒｅｍｅｎｔ  Ｓｕｂｆｒａｍｅ  Ｐａｔｔｅｒｎ」を通知することが合意されている。
【０００３】
ここで、「Ｍｅａｓｕｒｅｍｅｎｔ  Ｓｕｂｆｒａｍｅ  Ｐａｔｔｅｒｎ」は、Ｃｏｎｎｅｃｔｅｄモードの移動局ＵＥが、ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）を測定し、無線リンク（Ｒａｄｉｏ  Ｌｉｎｋ）を監視するために用いられるサブフレーム（測定処理用サブフレーム）を示す情報である。
【先行技術文献】
【非特許文献】
【０００４】
【非特許文献１】３ＧＰＰ  ＴＳ３６.３００
【非特許文献２】３ＧＰＰ  ＴＳ３６.３３１
【発明の概要】
【発明が解決しようとする課題】
【０００５】
しかしながら、ＬＴＥのＲｅｌ-１０方式における「ｅＩＣＩＣ」において、Ｉｄｌｅモード（待ち受け状態）の移動局ＵＥに対して、どのように「Ｍｅａｓｕｒｅｍｅｎｔ  Ｓｕｂｆｒａｍｅ  Ｐａｔｔｅｒｎ」を通知するべきかについては合意されていない。
【０００６】
特に、移動局ＵＥは、ＣｏｎｎｅｃｔｅｄモードからＩｄｌｅモードに遷移した場合に、どのサブフレームを用いて測定処理を行うべきか分からないという問題点があった。
【０００７】
そこで、本発明は、上述の課題に鑑みてなされたものであり、ＣｏｎｎｅｃｔｅｄモードからＩｄｌｅモードに遷移した場合に、測定処理に用いるべきサブフレームを適切に知ることができる移動局を提供することを目的とする。
【課題を解決するための手段】
【０００８】
本発明の第１の特徴は、移動局であって、接続状態から待ち受け状態に遷移する際に無線基地局から受信したコネクション解放信号によって通知された測定処理用サブフレームにおいて、所定セルにおける測定処理を行うように構成されている測定部を具備することを要旨とする。
【０００９】
本発明の第２の特徴は、移動局であって、接続状態から待ち受け状態に遷移した場合、該接続状態において設定されていた測定処理用サブフレームにおいて、所定セルにおける測定処理を行うように構成されている測定部を具備することを要旨とする。
【発明の効果】
【００１０】
以上説明したように、本発明によれば、ＣｏｎｎｅｃｔｅｄモードからＩｄｌｅモードに遷移した場合に、測定処理に用いるべきサブフレームを適切に知ることができる移動局を提供することができる。
【図面の簡単な説明】
【００１１】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するための図である。
【図４】本発明の第１の実施形態に係る移動局の動作を示すシーケンス図である。
【発明を実施するための形態】
【００１２】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１３】
本実施形態に係る移動通信システムでは、「ｅＩＣＩＣ」を行うことができるように構成されている。
【００１４】
図１に示すように、本実施形態に係る移動通信システムは、マクロセルを管理する無線基地局ｅＮＢ＃１と、ピコセルを管理する無線基地局ｅＮＢ＃２と、ＣＳＧセル（フェムトセル：Ｆｅｍｔｏ  ｃｅｌｌ）を管理する無線基地局ｅＮＢ＃３（ＨｅＮＢ＃３）とを具備している。
【００１５】
本実施形態に係る移動通信システムでは、マクロセルとピコセルとＣＳＧセルとは、地理的に少なくとも一部で重畳するように形成されている。具体的には、図１に示すように、本実施形態に係る移動通信システムでは、マクロセル内に、ピコセル及びＣＳＧセルが含まれるような構成となっている。
【００１６】
なお、図１に示すように、ピコセルの周囲において、マクロセルに接続する移動局ＭＵＥが、トラフィック分散のために、なるべくピコセルに接続するように、ハンドオーバの閾値を（例えば、セル固有のオフセット値Ｃｅｌl  Ｉｎｄｉｖｉｄｕａｌ  Ｏｆｆｓｅｔ）を設定する「ＣＲＥ（Ｃｅｌｌ  Ｒａｎｇｅ  Ｅｘｐａｎｓｉｏｎ）」と呼ばれる技術が、適用されていてもよい。
【００１７】
図２に示すように、移動局ＵＥは、記憶部１１と、受信部１２と、判定部１３と、測定部１４と、選択部１５とを具備している。
【００１８】
記憶部１１は、Ｉｄｌｅモードの移動局ＵＥに対する測定処理用サブフレームを記憶するように構成されている。
【００１９】
受信部１２は、無線基地局ｅＮＢ＃１〜ｅＮＢ＃３から各種信号を受信するように構成されている。
【００２０】
例えば、受信部１２は、移動局ＵＥが、ＣｏｎｎｅｃｔｅｄモードからＩｄｌｅモードに遷移する際に、無線基地局ｅＮＢから、「ＲＲＣ  Ｃｏｎｎｅｃｔｉｏｎ  Ｒｅｌｅａｓｅ」を受信するように構成されている。
【００２１】
選択部１５は、移動局ＵＥが、ＣｏｎｎｅｃｔｅｄモードからＩｄｌｅモードに遷移する際に、待ち受けセル（Ｃａｍｐ-ｏｎ  ｃｅｌｌ）の選択（ｓｅｌｅｃｔｉｏｎ又はｒｅｓｅｌｅｃｔｉｏｎ）を行うように構成されている。
【００２２】
なお、選択部１５は、待ち受けセルのＰＣＩ（Ｐｈｙｓｉｃａｌ  Ｃｅｌｌ  Ｉｄｅｎｔｉｔｙ）に基づいて、待ち受けセルの種類を識別するように構成されている。
【００２３】
図１の例では、マクロセルにてＩｄｌｅモードである移動局ＵＥ（ＭＵＥ）の選択部１５は、第１に、地点Ａにおいて、マクロセルからピコセルへのセル再選択を行い、第２に、地点Ｂにおいて、ピコセルからマクロセルへのセル再選択を行うように構成されている。
【００２４】
ここで、受信部１２は、かかる「ＲＲＣ  Ｃｏｎｎｅｃｔｉｏｎ  Ｒｅｌｅａｓｅ」を介して、選択された待ち受けセルの周辺ピコセルや周辺ＣＳＧセルの「ＰＣＩ  ｒａｎｇｅ」等を受信するように構成されていてもよい。
【００２５】
また、受信部１２は、かかる「ＲＲＣ  Ｃｏｎｎｅｃｔｉｏｎ  Ｒｅｌｅａｓｅ」を介して、選択された待ち受けセルにおいて用いられるべきＩｄｌｅモードの移動局ＵＥに対する測定処理用サブフレームを示す情報（「Ｍｅａｓｕｒｅｍｅｎｔ  Ｓｕｂｆｒａｍｅ  Ｐａｔｔｅｒｎ」）を受信するように構成されていてもよい。
【００２６】
例えば、受信部１２は、かかる「ＲＲＣ  Ｃｏｎｎｅｃｔｉｏｎ  Ｒｅｌｅａｓｅ」を介して、測定処理用サブフレームを示す情報として、マクロセルにおいて測定処理用ＡＢＳ（Ａｌｍｏｓｔ  Ｂｌａｎｋ  Ｓｕｂｆｒａｍｅ）として設定されているサブフレームを示す情報や、ＣＳＧセルにおいて測定処理用ＡＢＳとして設定されているサブフレームを示す情報を受信するように構成されている。
【００２７】
また、受信部１２は、かかる「ＲＲＣ  Ｃｏｎｎｅｃｔｉｏｎ  Ｒｅｌｅａｓｅ」を介して、測定処理用ＡＢＳ（Ａｌｍｏｓｔ  Ｂｌａｎｋ  Ｓｕｂｆｒａｍｅ）として設定されているサブフレームを用いて測定を行うピコセル若しくはＣＳＧセルの「Ｐｈｙｓｉｃａｌ  Ｃｅｌｌ  ＩＤリスト」を受信するように構成されていてもよい。
【００２８】
判定部１３は、マクロセルにおいてＩｄｌｅモードであるか否か、Ｉｎｔｒａ-ｆｒｅｑｕｅｎｃｙ  ｍｅａｓｕｒｅｍｅｎｔ（周波数内測定処理）を行う条件が満たされたか否か、また、周辺にＣＳＧセルが存在することが検出された否かについて判定するように構成されていてもよい。
【００２９】
例えば、判定部１３は、「受信電力Ｓｒｘｌｅｖ≦ＳＩｎｔｒａＳｅａｒｃｈＰ」又は「受信品質Ｓｑｕａｌ≦ＳＩｎｔｒａＳｅａｒｃｈＱ」が満たされた場合に、Ｉｎｔｒａ-ｆｒｅｑｕｅｎｃｙ  ｍｅａｓｕｒｅｍｅｎｔを行う条件が満たされたと判定するように構成されていてもよい。
【００３０】
また、判定部１３は、受信部１２によって受信されたＳＩＢ４に含まれる「ＣＳＧ  ＰＣＩ  ｓｐｌｉｔ  ｒａｎｇｅ」を用いて、周辺にＣＳＧセルが存在するか否か（或いは、ＣＳＧセル内に位置するか否か）について判定するように構成されていてもよい。
【００３１】
或いは、判定部１３は、ＣＳＧセルが近づいたこと及びＣＳＧセルが遠ざかったことを検出するように構成されていてもよい。
【００３２】
例えば、判定部１３は、ＧＰＳ情報や、かかるＣＳＧセルにおける測定結果等を用いて、すなわち、ＬＴＥのＲｅｌ-９方式で採用されている「Ｐｒｏｘｉｍｉｔｙ  Ｉｎｄｉｃａｔｉｏｎ機能」を用いて、ＣＳＧセルが近づいたこと及びＣＳＧセルが遠ざかったことを検出するように構成されていてもよい。
【００３３】
測定部１４は、上述の測定処理用サブフレームにおいて、所定セルにおける測定処理を行うように構成されている。
【００３４】
例えば、選択部１５によって選択された待ち受けセルがマクロセルであり、且つ、判定部１３によって周辺にＣＳＧセルが存在する（或いは、ＣＳＧセル内に位置する）と判定された場合には、測定部１４は、ＣＳＧセルにおいて測定処理用ＡＢＳとして設定されているサブフレームにおいて、かかるマクロセル（サービングセル）、ピコセル（マクロセルの周辺ピコセル）、及び、かかるマクロセルの周辺マクロセルにおける測定処理を行うように構成されていてもよい。
【００３５】
かかる場合、測定部１４は、任意のサブフレームにおいて、かかるマクロセルの周辺ＣＳＧセルにおける測定処理を行うように構成されていてもよい。
【００３６】
また、選択部１５によって選択された待ち受けセルがマクロセルであり、且つ、判定部１３によって周辺にＣＳＧセルが存在しない（或いは、ＣＳＧセルの外に位置する）と判定された場合には、測定部１４は、マクロセルにおいて測定処理用ＡＢＳとして設定されているサブフレームにおいて、かかるマクロセルの周辺ピコセルにおける測定処理を行うように構成されていてもよい。
【００３７】
かかる場合、測定部１４は、任意のサブフレームにおいて、かかるマクロセル（サービングセル）、かかるマクロセルの周辺マクロセル、及び、かかるマクロセルの周辺ＣＳＧセルにおける測定処理を行うように構成されていてもよい。
【００３８】
さらに、選択部１５によって選択された待ち受けセルがピコセルである場合には、測定部１４は、マクロセルにおいて測定処理用ＡＢＳとして設定されているサブフレームにおいて、かかるピコセル（サービングセル）における測定処理を行うように構成されていてもよい。
【００３９】
かかる場合、測定部１４は、任意のサブフレームにおいて、かかるピコセルの周辺マクロセル、かかるピコセルの周辺ピコセル、及び、かかるピコセルの周辺ＣＳＧセルにおける測定処理を行うように構成されていてもよい。
【００４０】
なお、測定部１４は、周辺ピコセルについて通知された場合、具体的には、周辺ピコセルの「Ｐｈｙｓｉｃａｌ  Ｃｅｌｌ  ＩＤリスト」が提供されている場合には、かかる周辺ピコセルにおける測定処理用ＡＢＳを用いて測定処理を行うように構成されていてもよい。
【００４１】
ここで、判定部１３が、マクロセルにおいて待ち受け状態であり、Ｉｎｔｒａ-ｆｒｅｑｕｅｎｃｙ  ｍｅａｓｕｒｅｍｅｎｔを行う条件が満たされており、かつ、周辺にＣＳＧセルが存在する（或いは、ＣＳＧセル内に位置する）ことが検出されたと判定した場合に、測定部１４は、上述のＣＳＧセルにおいて測定処理用ＡＢＳとして設定されているサブフレームにおいて、マクロセル及びマクロセルの周辺セル（周辺マクロセル及び周辺ピコセル）における測定処理を開始し、所定タイマ（Ｔ３ＸＸ）を起動するように構成されていてもよい。かかる場合、測定部１４は、移動局ＵＥが地点Ｃに存在すると推定している。
【００４２】
なお、測定部１４は、所定タイマが満了した場合に、かかるサブフレームにおける測定処理を停止し、以降は、任意のサブフレームを用いて測定処理を行うように構成されていてもよい、すなわち、かかるサブフレームを解放するように構成されている。かかる場合、測定部１４は、移動局ＵＥが地点Ｄに存在すると推定している。
【００４３】
或いは、判定部１３が、マクロセルにおいて待ち受け状態であり、ＣＳＧセルが近づいたことを検出した場合に、測定部１４は、上述のＣＳＧセルにおいて測定処理用ＡＢＳとして設定されているサブフレームにおいて、マクロセル及びマクロセルの周辺セル（周辺マクロセル及び周辺ピコセル）における測定処理を開始するように構成されていてもよい。かかる場合、測定部１４は、移動局ＵＥが地点Ｃに存在すると推定している。
【００４４】
また、判定部１３が、かかるＣＳＧセルが遠ざかったことを検出した場合に、測定部１４は、かかるサブフレームにおける測定処理を停止し、以降は、任意のサブフレームを用いて測定処理を行うように構成されている、すなわち、かかるサブフレームを解放するように構成されている。かかる場合、測定部１４は、移動局ＵＥが地点Ｄに存在すると推定している。
【００４５】
以下、第１に、図３を参照して、本実施形態に係る移動局ＵＥの動作例１、具体的には、本実施形態に係る移動局ＵＥ（ＭＵＥ）がマクロセルにおいてＩｄｌｅモードである場合の動作例１について説明する。
【００４６】
なお、本実施形態に係る移動局ＵＥは、ＣｏｎｎｅｃｔｅｄモードからＩｄｌｅモードに遷移する際に、「ＲＲＣ  Ｃｏｎｎｅｃｔｉｏｎ  Ｒｅｌｅａｓｅ」を介して、測定処理用サブフレームを示す情報として、マクロセルにおいて測定処理用ＡＢＳとして設定されているサブフレームを示す情報や、ＣＳＧセルにおいて測定処理用ＡＢＳとして設定されているサブフレームを示す情報を受信しているものとする。
【００４７】
図３に示すように、移動局ＵＥは、ステップＳ１０１において、Ｉｎｔｒａ-ｆｒｅｑｕｅｎｃｙ  ｍｅａｓｕｒｅｍｅｎｔを行う条件（所定条件）が満たされており、かつ、周辺にＣＳＧセルが存在することが検出されたと判定した場合に、ステップＳ２０２において、ＣＳＧセルにおいて測定処理用ＡＢＳとして設定されているサブフレームにおいて、マクロセル及びマクロセルの周辺セル（周辺マクロセル及び周辺ピコセル）における測定処理を開始し、所定タイマ（Ｔ３ＸＸ）を起動する。
【００４８】
移動局ＵＥは、ステップＳ１０３において、所定タイマが満了したことを検出すると、ステップＳ１０４において、マクロセルにおいて測定処理用ＡＢＳとして設定されているサブフレームにおいて、かかるマクロセルの周辺ピコセルにおける測定処理を開始し、任意のサブフレームを用いてサービングセルであるマクロセル及び周辺マクロセルにおける測定処理を開始する。
【００４９】
一方、移動局ＵＥは、ステップＳ１０３において、所定タイマが満了したことを検出する前に、ステップＳ１０５において、ピコセルを再選択した場合には、ステップＳ１０６において、マクロセルにおいて測定処理用ＡＢＳとして設定されているサブフレームにおいて、かかるピコセル（サービングセル）における測定処理を開始する。
【００５０】
第２に、図４を参照して、本変更例１に係る移動局ＵＥの動作例２、具体的には、本実施形態に係る移動局ＵＥ（ＭＵＥ）がマクロセルにおいて待ち受け状態である場合の動作例２について説明する。
【００５１】
なお、図４の例でも、本実施形態に係る移動局ＵＥは、ＣｏｎｎｅｃｔｅｄモードからＩｄｌｅモードに遷移する際に、「ＲＲＣ  Ｃｏｎｎｅｃｔｉｏｎ  Ｒｅｌｅａｓｅ」を介して、測定処理用サブフレームを示す情報として、マクロセルにおいて測定処理用ＡＢＳとして設定されているサブフレームを示す情報や、ＣＳＧセルにおいて測定処理用ＡＢＳとして設定されているサブフレームを示す情報を受信しているものとする。
【００５２】
図４に示すように、移動局ＵＥは、ステップＳ２０１において、ＣＳＧセルが近づいたことを検出した場合に、ステップＳ２０２において、ＣＳＧセルにおいて測定処理用ＡＢＳとして設定されているサブフレームにおいて、マクロセル及びマクロセルの周辺セル（周辺マクロセル及び周辺ピコセル）における測定処理を開始する。
【００５３】
移動局ＵＥは、ステップＳ２０３において、ＣＳＧセルが遠ざかったことを検出した場合に、ステップＳ２０４において、上述の測定処理を停止し、マクロセルにおいて測定処理用ＡＢＳとして設定されているサブフレームにおいて、かかるマクロセルの周辺ピコセルにおける測定処理を開始する。
【００５４】
本実施形態に係る移動通信システムによれば、移動局ＵＥは、ＣｏｎｎｅｃｔｅｄモードからＩｄｌｅモードに遷移する際に受信した「ＲＲＣ  Ｃｏｎｎｅｃｔｉｏｎ  Ｒｅｌｅａｓｅ」を介して、測定処理用サブフレームを示す情報として、マクロセルにおいて測定処理用ＡＢＳとして設定されているサブフレームを示す情報や、ＣＳＧセルにおいて測定処理用ＡＢＳとして設定されているサブフレームを示す情報を受信することができるので、Ｉｄｌｅモードに遷移した後に用いる測定処理用サブフレームを迅速に設定することができる。
【００５５】
（変更例１）
以下、本発明の変更例１に係る移動通信システムについて、上述の第１の実施形態に係る移動通信システムとの相違点に着目して説明する。
【００５６】
本発明の変更例１に係る移動通信システムでは、移動局ＵＥの測定部１４は、ＣｏｎｎｅｃｔｅｄモードからＩｄｌｅモードに遷移した場合、Ｃｏｎｎｅｃｔｅｄモードにおいて設定されていた測定処理用サブフレームにおいて、所定セルにおける測定処理を行うように構成されている。
【００５７】
例えば、移動局ＵＥが、ピコセルにおいて、ＣｏｎｎｅｃｔｅｄモードからＩｄｌｅモードに遷移した場合、測定部１４は、Ｃｏｎｎｅｃｔｅｄモードにおいて設定されていた測定処理用サブフレーム（具体的には、マクロセルにおいて測定処理用ＡＢＳとして設定されているサブフレーム）において、かかるピコセル（サービングセル）における測定処理を開始するように構成されている。
【００５８】
また、移動局ＵＥが、マクロセルにおいて、ＣｏｎｎｅｃｔｅｄモードからＩｄｌｅモードに遷移した場合で、判定部１３が、周辺にＣＳＧセルが存在しない（或いは、ＣＳＧセルの外に位置する）と判定した場合には、測定部１４は、Ｃｏｎｎｅｃｔｅｄモードにおいて設定されていた測定処理用サブフレーム（具体的には、マクロセルにおいて測定処理用ＡＢＳとして設定されているサブフレーム）において、かかるマクロセルの周辺ピコセルにおける測定処理を開始するように構成されている。
【００５９】
或いは、移動局ＵＥが、マクロセルにおいて、ＣｏｎｎｅｃｔｅｄモードからＩｄｌｅモードに遷移した場合で、判定部１３が、周辺にＣＳＧセルが存在する（或いは、ＣＳＧセル内に位置する）と判定した場合には、測定部１４は、Ｃｏｎｎｅｃｔｅｄモードにおいて設定されていた測定処理用サブフレーム（具体的には、ＣＳＧセルにおいて測定処理用ＡＢＳとして設定されているサブフレーム）において、かかるマクロセル、かかるマクロセルの周辺セル（周辺ピコセル及び周辺マクロセル）における測定処理を開始するように構成されている。
【００６０】
なお、測定部１４は、移動局ＵＥが、他のセルを再選択した場合には、Ｃｏｎｎｅｃｔｅｄモードにおいて設定されていた測定処理用サブフレームにおける測定処理を停止する、すなわち、Ｃｏｎｎｅｃｔｅｄモードにおいて設定されていた測定処理用サブフレームを解放するように構成されていてもよい。
【００６１】
或いは、測定部１４は、保持タイマが満了した場合には、Ｃｏｎｎｅｃｔｅｄモードにおいて設定されていた測定処理用サブフレームにおける測定処理を停止する、すなわち、Ｃｏｎｎｅｃｔｅｄモードにおいて設定されていた測定処理用サブフレームを解放するように構成されていてもよい。
【００６２】
なお、かかる保持タイマは、移動局ＵＥが、ＣｏｎｎｅｃｔｅｄモードからＩｄｌｅモードに遷移した場合に起動されるものとする。
【００６３】
本変更例１に係る移動通信システムによれば、移動局ＵＥは、ＣｏｎｎｅｃｔｅｄモードからＩｄｌｅモードに遷移した場合に、Ｃｏｎｎｅｃｔｅｄモードにおいて設定されていた測定処理用サブフレーム用いて、迅速に測定処理用サブフレームを設定することができる。
【００６４】
以上に述べた本実施形態の特徴は、以下のように表現されていてもよい。
【００６５】
本実施形態の第１の特徴は、移動局ＵＥであって、Ｃｏｎｎｅｃｔｅｄモード（接続状態）からＩｄｌｅモード（待ち受け状態）に遷移する際に無線基地局ｅＮＢから受信した「ＲＲＣ  Ｃｏｎｎｅｃｔｉｏｎ  Ｒｅｌｅａｓｅ（コネクション解放信号）」によって通知された測定処理用サブフレームにおいて、所定セルにおける測定処理を行うように構成されている測定部１４を具備することを要旨とする。
【００６６】
本実施形態の第２の特徴は、移動局ＵＥであって、ＣｏｎｎｅｃｔｅｄモードからＩｄｌｅモードに遷移した場合、Ｃｏｎｎｅｃｔｅｄモードにおいて設定されていた測定処理用サブフレームにおいて、所定セルにおける測定処理を行うように構成されている測定部１４を具備することを要旨とする。
【００６７】
本実施形態の第１及び第２の特徴において、移動局ＵＥが、ピコセルにおけるＩｄｌｅモードに遷移した場合、測定部１４は、上述の測定処理用サブフレームにおいて、かかるピコセルにおける測定処理を行い、周辺ピコセルの物理ＩＤについて通知された場合には、該測定処理用サブフレームにおいて、該周辺ピコセルにおける測定処理を行うように構成されていてもよい。
【００６８】
本実施形態の第１及び第２の特徴において、移動局ＵＥが、マクロセルにおけるＩｄｌｅモードに遷移した場合で、且つ、周辺にＣＳＧセルが存在しないと判定した場合、上述の測定処理用サブフレームにおいて、かかるマクロセルの周辺ピコセルにおける測定処理を行うように構成されていてもよい。
【００６９】
本実施形態の第１及び第２の特徴において、移動局ＵＥが、マクロセルにおけるＩｄｌｅモードに遷移した場合で、且つ、周辺にＣＳＧセルが存在すると判定した場合、上述の測定処理用サブフレームにおいて、かかるマクロセル、かかるマクロセルの周辺マクロセル、及び、かかるマクロセルの周辺ピコセルにおける測定処理を行うように構成されていてもよい。
【００７０】
なお、上述の無線基地局ｅＮＢ＃１/ｅＮＢ＃２/ｅＮＢ＃３（ＨｅＮＢ＃３）や移動局ＵＥの動作は、ハードウェアによって実施されてもよいし、プロセッサによって実行されるソフトウェアモジュールによって実施されてもよいし、両者の組み合わせによって実施されてもよい。
【００７１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/ｅＮＢ＃２/ｅＮＢ＃３（ＨｅＮＢ＃３）や移動局ＵＥ内に設けられていてもよい。また、かかる記憶媒体及びプロセッサは、ディスクリートコンポーネントとして無線基地局ｅＮＢ＃１/ｅＮＢ＃２/ｅＮＢ＃３（ＨｅＮＢ＃３）や移動局ＵＥ内に設けられていてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
ｅＮＢ＃１、ｅＮＢ＃２、ｅＮＢ＃３（ＨｅＮＢ＃３）…無線基地局
ＵＥ、ＭＵＥ、ＰＵＥ…移動局
１１…記憶部
１２…受信部
１３…判定部
１４…測定部
１５…選択部
【図１】
2013090162.tif 000003
【図２】
2013090162.tif 000004
【図３】
2013090162.tif 000005
【図４】
2013090162.tif 000006